(57)【要約】【課題】雰囲気温度の変化による対物レンズの傾きを効果的に低減させることができる光ピックアップ装置を提供する。【解決手段】レンズホルダ２は、対物レンズ１の外周部１ｃの下面部と接する受け面部２ｂと、受け面部２ｂから突出して設けられ、対物レンズ１の外周側面部１ｅに接する互いに離間して設けられた複数個の突起部２ｃとを有し、対物レンズ１を保持する。対物レンズ１は、突起部２ｃと対向していない部分の外周側面部１ｅと受け面部２ｂとにまたがるように塗布された接着剤３によってレンズホルダ２に固定されている。【選択図】図１
2011134431.tif 000002
【特許請求の範囲】
【請求項１】
対物レンズと、
前記対物レンズの外周部の下面部と接する受け面部と、前記受け面部から突出して設けられ、前記対物レンズの外周側面部に接する互いに離間して設けられた複数個の突起部とを有し、前記対物レンズを保持するレンズホルダと、
を備え、
前記対物レンズは、前記突起部と対向していない部分の前記外周側面部と前記受け面部とにまたがるように塗布された接着剤によって前記レンズホルダに固定されている
ことを特徴とする光ピックアップ装置。
【請求項２】
前記対物レンズの外周側面部と前記突起部との間には接着剤が塗布されていないことを特徴とする請求項１記載の光ピックアップ装置。
【請求項３】
前記受け面部上の前記対物レンズ周方向で、前記突起部が設けられていない部分の角度範囲は前記突起部が設けられている部分の角度範囲よりも広いことを特徴とする請求項１または２に記載の光ピックアップ装置。
【発明の詳細な説明】
【技術分野】
【０００１】
本発明は、ＣＤやＤＶＤ等の光ディスクに記録されたデータを再生したり、光ディスクにデータを記録したりする光ディスク装置において用いられる光ピックアップ装置に関する。
【背景技術】
【０００２】
光ピックアップ装置は、対物レンズと、対物レンズを載せるレンズホルダとを備える。対物レンズは、接着剤によってレンズホルダに固定される。対物レンズをレンズホルダに固定する際、接着剤が対物レンズの外周部の下面に入り込む場合がある。接着剤が対物レンズの外周部の下面に入り込んだ状態で対物レンズがレンズホルダに固定されると、接着剤が温度の変化により膨張または収縮して対物レンズがレンズホルダに対して傾くことがある。対物レンズがレンズホルダに対して傾くと、光ピックアップ装置の光学的特性が劣化する。そこで、対物レンズの外周部の下面に接着剤が入り込むことを防止するための種々の工夫がなされている。
【０００３】
特許文献１には、レンズホルダにおける対物レンズの外周部の下面を受ける面に、余分な接着剤を溜めるための凹部を設けることが記載されている。特許文献２には、レンズホルダに、対物レンズの外周部の側面及び下面を受けるレンズ搭載部と、接着剤を塗布する接着剤塗布部とを分離して設けることが記載されている。特許文献３には、レンズホルダの上端面と対物レンズの外周部の側面との間に塗布した接着剤を対物レンズの外周全体に染み渡らせて、対物レンズをレンズホルダに強固に接着させることが記載されている。
【先行技術文献】
【特許文献】
【０００４】
【特許文献１】特開平８−３２９５０８号公報
【特許文献２】特開２００７−１８４０６０号公報
【特許文献３】特開２０００−２１５４８９号公報（段落００３１、図４）
【発明の概要】
【発明が解決しようとする課題】
【０００５】
上述した従来の光ピックアップ装置でも、接着剤によって対物レンズをレンズホルダに固定した後に、雰囲気温度の変化により対物レンズがレンズホルダに対して傾き、光学的特性を劣化させる場合がある。接着剤の温度特性により対物レンズが傾くという問題点は依然として解消されていない。
【０００６】
本発明はこのような問題点に鑑み、雰囲気温度の変化による対物レンズの傾きを効果的に低減させることができる光ピックアップ装置を提供することを目的とする。
【課題を解決するための手段】
【０００７】
本発明は、上述した従来の技術の課題を解決するため、対物レンズ（１）と、前記対物レンズの外周部（１ｃ）の下面部と接する受け面部（２ｂ）と、前記受け面部から突出して設けられ、前記対物レンズの外周側面部（１ｅ）に接する互いに離間して設けられた複数個の突起部（２ｃ）とを有し、前記対物レンズを保持するレンズホルダ（２）と、を備え、前記対物レンズは、前記突起部と対向していない部分の前記外周側面部と前記受け面部とにまたがるように塗布された接着剤（３）によって前記レンズホルダに固定されていることを特徴とする光ピックアップ装置を提供する。
【０００８】
上記構成において、前記対物レンズの外周側面部と前記突起部との間には接着剤が塗布されていないことが好ましい。
【０００９】
上記構成において、前記受け面部上の前記対物レンズ周方向で、前記突起部が設けられていない部分の角度範囲は前記突起部が設けられている部分の角度範囲よりも広いことが好ましい。
【発明の効果】
【００１０】
本発明の光ピックアップ装置によれば、雰囲気温度の変化による対物レンズの傾きを効果的に低減させることができる。
【図面の簡単な説明】
【００１１】
【図１】本発明の一実施形態に係る光ピックアップ装置の要部の平面図である。
【図２】図１のＡ−Ａ線断面図である。
【図３】図１のＢ−Ｂ線断面が現れている切断斜視図である。
【図４】図１の光ピックアップ装置の製造に際し、対物レンズをレンズホルダに挿入する様子を示す斜視図である。
【図５】図１の光ピックアップ装置の製造に際し、レンズホルダに挿入された対物レンズを接着剤により固定する様子を示す斜視図である。
【図６】図１の光ピックアップ装置において突起部が存在する範囲を示す上面図である。
【発明を実施するための形態】
【００１２】
以下、本発明の光ピックアップ装置について、添付図面を参照して説明する。図１〜図３において、対物レンズ１はレンズホルダ２上に配置され、接着剤３によって固定されている。対物レンズ１は、図示していない光ディスクに対してデータを書き込んだり光ディスクからデータを読み取ったりするためのレーザ光を光ディスク上に集光させるものである。対物レンズ１は、レンズの上面を構成する上球面１ａ、レンズの下面を構成する下球面１ｂ、レンズの周囲を構成するフランジ状の外周部１ｃを備える。上球面１ａ及び下球面１ｂは球面または非球面の凸状の形状を有する。外周部１ｃは、環状の平面を構成する下面部１ｄ及びこれに隣接する外周側面部１ｅを有する。
【００１３】
レンズホルダ２は、対物レンズ１の下球面１ｂを挿入させるレンズ挿入穴２ａ、レンズ挿入穴２ａの周囲に設けられた受け面部２ｂ、受け面部２ｂ上に設けられた４つの突起部２ｃを備える。レンズ挿入穴２ａの径は、外周部１ｃの径より小さく、下球面１ｂの径より大きい。受け面部２ｂは対物レンズ１の光軸方向の位置を定める平面である。受け面部２ｂは下面部１ｄが接する部分から外側へと所定の面積で広がっている。
【００１４】
４つの突起部２ｃの高さは外周部１ｃの高さに概ね等しい。４つの突起部２ｃの中心はレンズ挿入穴２ａと中心軸と等しい。４つの突起部２ｃは、対物レンズ１の外周側面部１ｅに沿って周方向にほぼ等間隔に設けられている。外周側面部１ｅが突起部２ｃの内壁面と接することにより、対物レンズ１はレンズホルダ２上で光軸方向と直交する方向の位置決めがなされる。
【００１５】
接着剤３は、突起部２ｃと対向していない部分の外周側面部１ｅと受け面部２ｂとにまたがるように塗布されており、対物レンズ１をレンズホルダ２に対して固定している。好ましくは、接着剤３は隣り合う２つの突起部２ｃのほぼ中央の外周側面部１ｅと受け面部２ｂとの間に塗布されている。外周側面部１ｅと突起部２ｃとの隙間には接着剤３を塗布しておらず、接着剤３は存在しない。
【００１６】
図４及び図５を用いて本実施形態の光ピックアップ装置の製造工程について説明する。図４に示すように、対物レンズ１をレンズホルダ２の上方からレンズホルダ２に対して配置させる。このとき、対物レンズ１の中心軸をレンズ挿入穴２ａの中心軸に一致させて、対物レンズ１の下球面１ｂをレンズ挿入穴２ａに挿入する。これにより、対物レンズ１の側面部１ｅは各突起部２ｃの内壁面に沿って下降し、対物レンズ１の下面部１ｄがレンズホルダ２の受け面部２ｂに接する。すると、対物レンズ１は上下方向（光軸方向）に位置決めされ、かつ各突起部２ｃにより受け面部２ｂの面方向（光軸と直交方向）にも位置決めされる。
【００１７】
図５に示すように、レンズホルダ２の４つの突起部２ｃは対物レンズ１の外周側面部１ｅと接している。突起部２ｃが存在しない部分では、対物レンズ１の外周側面部１ｅはいかなるものとも接触していない。突起部２ｃが存在しない部分で、受け面部２ｂから外周側面部１ｅにかけて接着剤３を塗布し、対物レンズ１をレンズホルダ２に対して固定する。接着剤３は突起部２ｃにかからないように、また、外周側面部１ｅと突起部２ｃとの隙間に入り込まないように塗布される。
【００１８】
接着剤３が突起部２ｃまで広がらないようにするため、接着剤３としては、例えば１０［Ｐａ・ｓ］（パスカル・秒）程度の粘度でチクソ性を有する紫外線硬化型のものを使用し、塗布後に紫外線を照射して硬化させることが好ましい。これにより、接着剤３が突起部２ｃまで広がることなく、接着剤３が速やかに硬化し、接着剤３が外周側面部１ｅと突起部２ｃとの隙間に入り込むことを防止することができる。
【００１９】
図６を用いて突起部２ｃが存在する範囲について説明する。図６に示すように、本実施形態においては、１つの突起部２ｃが存在する範囲は、レンズ挿入穴２ａの中心軸Ａの周りの角度で３５°の範囲である。隣り合う２つの突起部２ｃ間の突起部２ｃが存在しない範囲は５５°である。これらの角度範囲は単なる例であり、これに限定されるものではない。突起部２ｃが存在する範囲よりも接着剤３を塗布する突起部２ｃが存在しない範囲の方が大きいので、容易に、接着剤３が外周側面部１ｅと突起部２ｃとの隙間に入り込まないよう接着剤３の塗布作業を行うことができる。
【００２０】
本発明者は、種々の実験により、雰囲気温度の変化により対物レンズ１が傾くのは、対物レンズ１の下面部１ｄに入り込んだ接着剤の影響によるものだけではなく、対物レンズ１の外周側面部１ｅと、レンズホルダ２上の外周側面部１ｅに対向する面との隙間に入り込んだ接着剤の影響によるものであることを見出した。具体的には、外周側面部１ｅと、レンズホルダ２上の外周側面部１ｅに対向する面との間に接着剤が存在すると、対物レンズ１とレンズホルダ２と接着剤それぞれの熱膨張係数の差により、対物レンズ１の側面に対し、接着剤を介してレンズホルダ２から応力が加わる。すると、対物レンズ１に傾きが生じるということが判明した。
【００２１】
上述のように、本実施形態においては、接着剤３は外周側面部１ｅと突起部２ｃとの隙間に塗布されていない。また、接着剤３を意図的に下面部１ｄと受け面部２ｂとの間に塗布していないので、接着剤３が下面部１ｄと受け面部２ｂとの間に流れ込んだとしても非常にわずかである。従って、本実施形態によれば、雰囲気温度が変化しても接着剤３の膨張や収縮に起因する対物レンズの傾きを効果的に低減させることが可能となる。
【００２２】
本発明は以上説明した本実施形態に限定されるものではなく、本発明の要旨を逸脱しない範囲において種々変更可能である。
【符号の説明】
【００２３】
１  対物レンズ
１ｃ  外周部
１ｅ  外周側面部
２  レンズホルダ
２ｂ  受け面部
２ｃ  突起部
３  接着剤
【図１】
2011134431.tif 000003
【図２】
2011134431.tif 000004
【図３】
2011134431.tif 000005
【図４】
2011134431.tif 000006
【図５】
2011134431.tif 000007
【図６】
2011134431.tif 000008